(57)【要約】【課題】本発明は、ずれを防止しつつ、座面が温かく、心地よく座ることができる椅子用クッションを提供することを目的とする。【解決手段】本発明は、熱可塑性樹脂の線条がループ状に屈曲して三次元網状に絡み合っている三次元網状構造体８と、三次元網状構造体８の上に設けられた蓄熱性発泡体７と、三次元網状構造体８及び蓄熱性発泡体７を収容するカバー３と、カバー３の座面側に設けられた滑り止め部２と、カバー３の裏面に設けられた滑り止め部４とを備える椅子用クッション１である。椅子用クッション１は、カバーの内側に設けられたポケット５を備える。滑り止め部２は、太ももと接触する位置に２カ所設けられている。椅子用クッション１は、三次元網状構造体８と蓄熱性発泡体７との間に発泡体６を備える。【選択図】図３
2015119761.tif 000002
【特許請求の範囲】
【請求項１】
熱可塑性樹脂の線条がループ状に屈曲して三次元網状に絡み合っている三次元網状構造体と、
前記三次元網状構造体の上に設けられた蓄熱性発泡体と、
前記三次元網状構造体及び前記蓄熱性発泡体を収容するカバーと、
前記カバーの座面側に設けられた第１の滑り止め部と、
前記カバーの裏面に設けられた第２の滑り止め部とを備えることを特徴とする、椅子用クッション。
【請求項２】
さらに、前記カバーの内側に設けられたポケットを備えることを特徴とする、請求項１に記載の椅子用クッション。
【請求項３】
前記第１の滑り止め部は、太ももと接触する位置に２カ所設けられていることを特徴とする、請求項１又は２に記載の椅子用クッション。
【請求項４】
さらに、前記三次元網状構造体と前記蓄熱性発泡体との間に設けられた発泡体を備えることを特徴とする、請求項１〜３のいずれかに記載の椅子用クッション。
【発明の詳細な説明】
【技術分野】
【０００１】
本発明は、ダイニングテーブル用や事務用、車椅子用などの椅子の座面に敷くクッションに関する。
【背景技術】
【０００２】
座り心地を良くするクッションは、今まで種々提案されている。たとえば、特許文献１には、三次元網状構造体（いわゆる、３Ｄケアコイル）を用いた車椅子用のクッションが開示されており、当該クッションは、端部を融着しているところに特徴を有する。また、特許文献２に記載のクッションには、加熱手段が設けられており、血行障害を防止することができる。特許文献３には、体圧分散性を有する領域とそれよりも硬質な領域とを設けて、長時間の着座による床ずれを防止する車椅子用のクッションが開示されている。
【先行技術文献】
【特許文献】
【０００３】
【特許文献１】特許第５３６８８５９号公報
【特許文献２】特開２００４−２６１４１５号公報
【特許文献３】特開２０１３−３１７１０号公報
【発明の概要】
【発明が解決しようとする課題】
【０００４】
ところで、従来の椅子用の座面クッションは、ずれてしまう場合があった。特に、車椅子で座面クッションを使用した場合、車椅子に乗っている高齢者などは筋力が弱っていることがあるため、背骨をまっすぐ立てることが出来ず、前方にずり落ちるような姿勢になる場合があった。そのような場合、クッションごとずり落ちてしまい危険である。当然、車椅子以外でも、同様のことが起こりうる。また、座面が温かければ、心地よく椅子に座っていることができる。特に、車椅子の場合、室外を移動することが多いので、座面が温かい方が心地がよい。
【０００５】
それゆえ、本発明は、ずれを防止しつつ、座面が温かく、心地よく座ることができる椅子用クッションを提供することを目的とする。
【課題を解決するための手段】
【０００６】
上記課題を解決するために、本発明は、以下のような特徴を有する。本発明は、熱可塑性樹脂の線条がループ状に屈曲して三次元網状に絡み合っている三次元網状構造体と、三次元網状構造体の上に設けられた蓄熱性発泡体と、三次元網状構造体及び蓄熱性発泡体を収容するカバーと、カバーの座面側に設けられた第１の滑り止め部と、カバーの裏面に設けられた第２の滑り止め部とを備える椅子用クッションである。好ましくは、当該椅子用クッションは、さらに、カバーの内側に設けられたポケットを備えるとよい。好ましくは、第１の滑り止め部は、太ももと接触する位置に２カ所設けられているとよい。好ましくは、当該椅子用クッションは、さらに、三次元網状構造体と蓄熱性発泡体との間に設けられた発泡体を備えるとよい。
【発明の効果】
【０００７】
このように、本発明の実施形態では、第２の滑り止め部によって、椅子用クッション自体が滑り落ちるのを防止しつつ、第１の滑り止め部によって、使用者の太ももがずり落ちるのを防止している。さらに、三次元網状構造体によって、体圧を分散し、その通気性によって、心地よい座りを提供することができる。さらに、蓄熱性発泡体によって、温かさを提供することができ、より心地よさが増す。ポケットに使い捨てカイロを入れれば、温かさはさらに増す。また、ポケットに着座センサを入れれば、車椅子での移動の安全性が向上する。第１の滑り止め部を太ももと接触する位置に２カ所設ければ、太もも部分のずれを効果的に防止できる。三次元網状構造体と蓄熱性発泡体との間に発泡体を設ければ、三次元網状構造体と蓄熱性発泡体とのずれなどが防止でき、座り心地がより向上する。
【０００８】
本発明のこれら、及び他の目的、特徴、局面、効果は、添付図面と照合して、以下の詳細な説明から一層明らかになるであろう。
【図面の簡単な説明】
【０００９】
【図１】図１は、本発明の一実施形態における椅子用クッション１を表面から見たときの斜視図である。
【図２】図２は、椅子用クッション１を裏面から見たときの斜視図である。
【図３】図３は、図１のＡ−Ａ面での断面図である。
【発明を実施するための形態】
【００１０】
図１は、本発明の一実施形態における椅子用クッション１を表面から見たときの斜視図である。図２は、椅子用クッション１を裏面から見たときの斜視図である。図１及び図２に示すように、椅子用クッション１は、表面で両太ももが接触する部分近辺に、二つの三角形状の滑り止め部２を有する。滑り止め部２は、カバー３の座面側に接合されている。滑り止め部２は、摩擦力の大きい素材であり、たとえば、ゴムを主成分とする素材などであるが特に限定されない。滑り止め部２を椅子の前側にして椅子用クッション１を椅子に置くと良いが、特に限定されるものではない。
【００１１】
椅子用クッション１は、裏面全面に、滑り止め部４を有する。なお、全面ではなく、少なくとも一部にだけ滑り止め部４があってもよい。滑り止め部４は、カバー３の裏面に接合されている。滑り止め部４は、滑り止め部２と同様、摩擦力の大きい素材であり、たとえば、ゴムを主成分とする素材などであるが特に限定されない。
【００１２】
たとえば、車椅子の座面に椅子用クッション１を置いたときを考えてみる。滑り止め部４が当該座面と接触するので、椅子用クッション１自体がずれるのが防止される。さらに、滑り止め部２が太ももと接触するので、太ももが前の方にずれるのが防止される。これにより、車椅子に乗っている人がずれ落ちる危険が軽減する。
【００１３】
カバー３の内側には、ポケット５が設けられている。カバー３にはファスナー（図示せず）が付いており、ポケット５に物を入れられるようになっている。なお、ポケット５の位置や数は、図１に示した例に限られず、前方にあってもよいし、左右にあってもよいし、二つ以上あってもよい。ポケット５には、種々の物をいれておくことができる。たとえば、ポケット５に、使い捨てカイロを入れておけば、臀部や太もも付近が温かくなり、心地がよい。特に、車椅子で使用するような場合は、室外での使用も考えられるので、使い捨てカイロの熱で、心地よく着座できる。なお、ポケット５は、なくてもよい。
【００１４】
その他、ポケット５には、着座センサを入れておくことができる。たとえば、着座センサとして、圧力を検知して、座っている人の体圧が弱くなったら、警報音を鳴らすような装置を用いるとよい。これにより、車椅子に乗っている人が、介助者から勝手に離れたりした場合に、介助者が異常を知ることができ安全である。
【００１５】
図３は、図１のＡ−Ａ面での断面図である。図３を参照しながら、椅子用クッション１の内部構造について説明する。椅子用クッションは、内部に、三次元網状構造体８と、発砲体６と、蓄熱性発砲体７とを有する。そして、カバー３は、三次元網状構造体８、発砲体６、及び蓄熱性発砲体７を収容している。カバー３の表面に滑り止め部２が接合されており、カバー３の裏面に滑り止め部４が接合されている。
【００１６】
三次元網状構造体８は、一般に、３Ｄケアコイルなどと呼ばれて販売されている。三次元網状構造体８は、熱可塑性樹脂の線条がループ状に屈曲して三次元網状に絡み合っており、線条同士の接触部が接合して形成されている。そのため、三次元網状構造体８は、すぐれたクッション性を有し、体圧分散効果を有する。また、三次元網状構造体８は、通気性にも優れている。よって、三次元網状構造体８への座り心地は、優れたものとなる。
【００１７】
蓄熱性発砲体７は、人の熱を蓄熱する効果を有するウレタンフォームなどである。蓄熱性を有する発砲体であれば、蓄熱性発砲体７の素材・構造等は限定されない。たとえば、蓄熱材料が蓄熱性発砲体７に埋め込まれていてもよいし、蓄熱性発砲体７の発砲構造によって、蓄熱効果が発揮されてもよい。本発明者は、古河電気工業株式会社の「フォームエース（登録商標）サーモ」を蓄熱性発泡体７に用いた。蓄熱性発泡体７は、人の熱を蓄熱するので、座っていると座面からぬくもりを感じることができる。
【００１８】
三次元網状構造体８と蓄熱性発泡体７との間に、ウレタンフォームなどからなる発泡体６を挟み込んである。発泡体６は、三次元網状構造体８と蓄熱性発泡体７とのずれを防止し、よりよい座り心地を提供するなどの目的で挟み込んであるが、なくてもよい。
【００１９】
なお、滑り止め部２，４の一部が、カバー３として機能していてもよい。
【００２０】
このように、本発明の実施形態では、滑り止め部４によって、椅子用クッション１自体が滑り落ちるのを防止しつつ、滑り止め部２によって、使用者の太ももがずり落ちるのを防止している。さらに、三次元網状構造体８によって、体圧を分散し、その通気性によって、心地よい座りを提供することができる。さらに、蓄熱性発泡体７によって、温かさを提供することができ、より心地よさが増す。ポケット５に使い捨てカイロを入れれば、温かさはさらに増す。また、ポケット５に着座センサを入れれば、車椅子での移動の安全性が向上する。カバー３には、ファスナーが付いているので、夏場などは、蓄熱性発泡体７などを取り除くことも可能である。
【００２１】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００２２】
本発明は、椅子用クッションであり、産業上利用可能である。
【符号の説明】
【００２３】
１  椅子用クッション
２，４  滑り止め部
３  カバー
５  ポケット
６  発泡体
７  蓄熱性発泡体
８  三次元網状構造体
【図１】
2015119761.tif 000003
【図２】
2015119761.tif 000004
【図３】
2015119761.tif 000005